(57)【要約】【課題】起電力発生手段と電流方向記憶手段を用いた物体動作記憶装置において、動作した物体が元の状態に戻されても物体の動作があったことを確実に記憶することができるようにすること。【解決手段】物体動作記憶装置１００は、物体ＯＢの往復動作に連動して相対的に往復動作可能な検出用磁石１１ａと検出用コイル１１ｂとを有し物体ＯＢの往動作に応じて第１の方向の電流を発生するとともに物体ＯＢの復動作に応じて第１の方向Ｄ１とは逆向きの第２の方向Ｄ２の電流を発生する起電力発生手段１１と、起電力発生手段１１に接続され起電力発生手段１１が発生した電流の方向を検出し記憶する電流方向記憶手段１３とを備え、検出用コイル１１ｂと電流方向記憶手段１３の間に設けられ電流方向記憶手段１３に第１の方向Ｄ１にのみ電流を流すようにした整流手段２５を備える構成とした。【選択図】図１
2015122258.tif 000002
【特許請求の範囲】
【請求項１】
物体の往復動作に連動して相対的に往復動作可能な検出用磁石と検出用コイルとを有し前記物体の往動作に応じて第１の方向の電流を発生するとともに前記物体の復動作に応じて前記第１の方向とは逆向きの第２の方向の電流を発生する起電力発生手段と、
前記起電力発生手段に接続され、前記起電力発生手段が発生した電流の方向を検出し記憶する電流方向記憶手段と、を備えた物体動作記憶装置であって、
前記検出用コイルと前記電流方向記憶手段の間に設けられ、前記電流方向記憶手段に前記第１の方向にのみ電流を流すようにした整流手段を備えたことを特徴とする物体動作記憶装置。
【請求項２】
前記整流手段と並列に接続され前記第２の方向にのみ電流を流すように設けられたリセット用整流手段と、前記リセット用整流手段と直列に設けられ非導通状態から導通状態へ一時的に切換可能なリセット用スイッチとを有する内部リセット回路を備えたことを特徴とする請求項１に記載の物体動作記憶装置。
【請求項３】
前記電流方向記憶手段に並列に接続され、前記電流方向記憶手段に前記第２の方向に電流を流すことのできる一対の配線からなる外部リセット回路を備えたことを特徴とする請求項１に記載の物体動作記憶装置。
【発明の詳細な説明】
【技術分野】
【０００１】
本発明は、扉の開閉のような物体の動作の有無を記憶可能な物体動作記憶装置に関し、特に、バッテリー等を使わず、かつ簡単な回路構成の物体動作記憶装置に関するものである。
【背景技術】
【０００２】
遊技機には、営業時間外の夜間に遊技機に対して不正行為が行なわれることが懸念される。不正行為に対しては、監視装置などを設けて、遊技機の扉の開閉があった場合には警報を出し、扉の開閉があったことを記憶媒体に記憶させる方法などが効果的である。しかしながら、夜間に遊技機に通電することは禁止されているため、通電しなくとも扉の開閉があったことを記憶可能な物体動作記憶装置が求められている。このような要望に対して、バッテリーなどを搭載し、遊技機に通電させることなく動作可能な物体動作記憶装置もあるが、バッテリー切れの確認やメンテナンスなどの手間がかかる。そこで、バッテリーなどを搭載しない物体動作記憶装置が求められている。
【０００３】
バッテリーなどを搭載しない物体動作記憶装置としては、下記の特許文献１に記載の遊技機に取り付けられた物体動作記憶装置が知られている。
【０００４】
以下、図６および図７を用いて、特許文献１に記載の物体動作記憶装置について説明する。図６は特許文献１に記載の物体動作記憶装置の構成を示す断面図である。図６は、特許文献１に記載の物体動作記憶装置を用いた動作検知（扉の開閉検知）システムの構成を示すブロック回路図である。
【０００５】
特許文献１に記載の物体動作記憶装置である第１監視装置８５０は、磁性体を有する磁性体ユニット８６０と、その磁性体ユニット８６０との相対位置の変位により誘導起電力を発生する導体ユニット８７０と、磁性体ユニット８６０と導体ユニット８７０とを収容するハウジング８８０とを備えている。磁性体ユニット８６０は、柱状をなす磁性体８６１と、この磁性体８６１を収容する収容体８６２とを備えている。磁性体ユニット８６０は、ハウジング８８０内に固定された導体ユニット８７０に対して相対移動可能な状態とされている。導体ユニット８７０は、導電性を有するコイル８７１を備えている。磁性体ユニット８６０（詳しくは磁性体８６１）が導体ユニット８７０（詳しくはコイル８７１）に対して相対移動することで相対位置が変化し、このような相対位置の変位に起因して、コイル８７１に誘導起電力が生じる構成となっている。このようにして生じる誘導起電力により第１監視装置８５０は物体の動作（扉の開閉など）を検知することができる。
【０００６】
なお、実際に第１監視装置８５０が遊技機に取り付けられ、物体の動作（扉の開閉など）を検知する場合には、図７に示すように、第１監視装置８５０は中継基板９００を介して、主制御装置７６２に接続して用いられる。主制御装置７６２は中継基板９００を介して第１監視装置８５０に接続される主制御基板９０１を有している。主制御基板９０１は、中継基板９００を介して第１監視装置８５０に接続される第１カウンタ回路９２０と、第１カウンタ回路９２０に接続されるＣＰＵ９１０と、を有している。第１カウンタ回路９２０は、第１監視装置８５０から所定の信号が入力された回数をカウントするカウンタ機能を備えている。第１カウンタ回路９２０からの出力信号がそれぞれＣＰＵ９１０に入力されることで、ＣＰＵ９１０にて第１カウンタ回路９２０の状態（詳しくはカウント回数）が把握される構成となっている。
【先行技術文献】
【特許文献】
【０００７】
【特許文献１】特開２００９−１４８３２０公報
【発明の概要】
【発明が解決しようとする課題】
【０００８】
しかしながら、第１監視装置８５０（物体動作記憶装置）はカウンタ回路やＣＰＵを用いて記憶する必要があり、回路構成が複雑になってしまうという問題がある。
回路構成を単純化するために、カウンタ回路やＣＰＵに代えて、簡易な構成の電流方向記憶手段を用いることが考えられる。しかし、扉を開けた後にまた閉めると、すなわち、物体の状態を元の状態に戻すと、電流方向記憶手段の記憶状態も元に戻って物体の動作があったことが分からなくなってしまう、という問題点があった。
【０００９】
本発明は、上述した課題を解決して、起電力発生手段と電流方向記憶手段を用いた物体動作記憶装置において、動作した物体が元の状態に戻されても物体の動作があったことを確実に記憶することができるようにすることを目的とする。
【課題を解決するための手段】
【００１０】
請求項１に記載の物体動作記憶装置においては、物体の往復動作に連動して相対的に往復動作可能な検出用磁石と検出用コイルとを有し前記物体の往動作に応じて第１の方向の電流を発生するとともに前記物体の復動作に応じて前記第１の方向とは逆向きの第２の方向の電流を発生する起電力発生手段と、前記起電力発生手段に接続され、前記起電力発生手段が発生した電流の方向を検出し記憶する電流方向記憶手段と、を備えた物体動作記憶装置であって、前記検出用コイルと前記電流方向記憶手段の間に設けられ、前記電流方向記憶手段に前記第１の方向にのみ電流を流すようにした整流手段を備えた、という特徴を有する。
【００１１】
請求項２に記載の物体動作記憶装置においては、前記整流手段と並列に接続され前記第２の方向にのみ電流を流すように設けられたリセット用整流手段と、前記リセット用整流手段と直列に設けられ非導通状態から導通状態へ一時的に切換可能なリセット用スイッチとを有する内部リセット回路を備えた、という特徴を有する。
【００１２】
請求項３に記載の物体動作記憶装置においては、前記電流方向記憶手段に並列に接続され、前記電流方向記憶手段に前記第２の方向に電流を流すことのできる一対の配線からなる外部リセット回路を備えた、という特徴を有する。
【発明の効果】
【００１３】
請求項１の発明によれば、整流手段を備えることで、電流方向記憶手段には第１の方向に逆行する電流は流れなくなる。すなわち、動作した物体が元の状態に戻されて検出用コイルに動作した時と逆向きの電流が流れようとしても、電流方向記憶手段には第１の方向にしか電流は流れないので、電流方向記憶手段の状態が元の状態に戻ることはなくなる。したがって、起電力発生手段と電流方向記憶手段を用いた物体動作記憶装置において、動作した物体が元の状態に戻されても物体の動作があったことを確実に記憶することができる、という効果を奏する。
【００１４】
請求項２の発明によれば、起電力発生手段とリセット用スイッチを同時に操作して逆方向の電流を流すことで電流方向記憶手段のリセットを行なう、すなわち電流方向記憶手段の状態を、物体が動作する前の状態に戻すことができる、という効果を奏する。
【００１５】
請求項３の発明によれば、外部リセット回路を介して電流方向記憶手段に逆方向（第２の方向）の電流を流すことで電流方向記憶手段のリセットを行なうことができる。
【００１６】
以上より、起電力発生手段と電流方向記憶手段を用いた物体動作記憶装置において、動作した物体が元の状態に戻されても物体の動作があったことを確実に記憶することができる。
【図面の簡単な説明】
【００１７】
【図１】第１実施形態における物体動作記憶装置１００の構成を示す回路図である。
【図２】起電力発生手段１１の構造例を示す模式断面図である。
【図３】電流方向記憶手段１３の詳細を示す図である。
【図４】第１実施形態における物体動作記憶装置１００を遊技機に用いた場合の使用例を示す模式図である。
【図５】第２実施形態における物体動作記憶装置２００の構成を示す回路図である。
【図６】特許文献１に記載の物体動作記憶装置の構成を示す断面図である。
【図７】特許文献１に記載の物体動作記憶装置を用いた動作検知（扉の開閉検知）システムの構成を示すブロック回路図である。
【発明を実施するための形態】
【００１８】
［第１実施形態］
以下に第１実施形態における物体動作記憶装置１００について説明する。
【００１９】
まず始めに本実施形態における物体動作記憶装置１００の構成について図１ないし図４を用いて説明する。図１は第１実施形態における物体動作記憶装置１００の構成を示す回路図である。図２は起電力発生手段１１の構造例を示す模式断面図で、図２（ａ）は非操作時の起電力発生手段１１の状態を示す模式断面図であり、図２（ｂ）は操作時の起電力発生手段１１の状態を示す模式断面図である。図３は電流方向記憶手段１３の詳細を示す図である。図４は第１実施形態における物体動作記憶装置１００を遊技機に用いた場合の使用例を示す模式図である。
【００２０】
物体動作記憶装置１００は、図１に示すように、起電力発生手段１１と、電流方向記憶手段１３と、負荷１４と、整流手段２５と内部リセット回路２８と並列に接続されてなる制御回路３０が配線されており、例えば、遊技機の扉の様な物体ＯＢの動作の有無を検知し記憶することが可能である。
【００２１】
まず、起電力発生手段１１について簡単に説明する。起電力発生手段１１は、検出用磁石１１ａと、検出用コイル１１ｂと、を有している。検出用磁石１１ａと検出用コイル１１ｂとは相対的に移動可能に配置されるとともに、検出用磁石１１ａの磁界内に検出用コイル１１ｂは配置されている。検出用磁石１１ａが検出用コイル１１ｂに対して移動すると、検出用コイル１１ｂにかかる磁界が変化し、誘導起電力が発生することで検出用コイル１１ｂに電流が流れる。例えば、起電力発生手段１１は、図２に示すように、検出用磁石１１ａと、検出用コイル１１ｂと、付勢部材１１ｃと、操作部材１１ｄと、ケース１１ｅと、を有している。操作部材１１ｄは本体部１１ｆを有し、本体部１１ｆから突出して操作ツマミ１１ｇが設けられている。検出用磁石１１ａは操作部材１１ｄの本体部１１ｆに保持されている。ケース１１ｅは内部が中空であり、内部には操作部材１１ｄ、検出用コイル１１ｂおよび付勢部材１１ｃを収納可能なスペースを有している。また、ケース１１ｅには操作ツマミ１１ｇを挿通可能な貫通孔が設けられており、貫通孔を介してケース１１ｅの内部と外部とは繋がっている。ケース１１ｅの内部には、検出用コイル１１ｂが外部と電気的に接続可能に固定されるとともに、操作部材１１ｄが貫通孔に操作ツマミ１１ｇを挿通し、検出用コイル１１ｂに沿って移動可能に配置されている。このとき、検出用磁石１１ａは検出用コイル１１ｂに臨むとともに、検出用コイル１１ｂから離間して配置されている。また、付勢部材１１ｃは操作部材１１ｄの本体部１１ｆとケース１１ｅの内壁との間に配置され、操作部材１１ｄを付勢している。なお、付勢部材１１ｃは、操作ツマミ１１ｇが設けられた面の裏面側に当接し、操作部材１１ｄを検出用磁石１１ａとともに貫通孔のある方向へ付勢している。このように構成された起電力発生手段１１は、非操作時には図２（ａ）に示すように、操作部材１１ｄは貫通孔側に付勢された状態である。また、起電力発生手段１１は、図２（ｂ）に示すように、物体ＯＢ（例えば、扉）によって操作ツマミ１１ｇを押圧操作されると、付勢部材１１ｃの付勢力に抗して、検出用コイル１１ｂに沿って移動する。すなわち、物体ＯＢの動作に連動して操作ツマミ１１ｇを押圧操作されると、検出用磁石１１ａは検出用コイル１１ｂに沿って移動する。このように、検出用磁石１１ａが検出用コイル１１ｂに沿って移動することによって、検出用コイル１１ｂに誘導起電力が発生し、電流が流れる。すなわち、発電することができる。なお、操作ツマミ１１ｇの押圧を解除すると、操作前の状態に復帰する。また、操作ツマミ１１ｇを押圧した状態を初期状態として用いても良い。
【００２２】
電流方向記憶手段１３は、配線１２、接地回路１３ａ、第１回路１３ｂ、第２回路１３ｃに接続されている。配線１２に第１の方向Ｄ１の電流が流れると、接地回路１３ａと第２回路１３ｃとが導通した状態となり、配線１２に流れる電流がなくなってもその状態が保持される。配線１２に第２方向Ｄ２の電流が流れると、接地回路１３ａと第１回路１３ｂとが導通した状態となり、配線１２に流れる電流がなくなってもその状態が保持される。
【００２３】
負荷１４は、本実施形態においては、ＬＥＤ（Ｌｉｇｈｔ  Ｅｍｉｔｔｉｎｇ  Ｄｉｏｄｅ、発光ダイオード）である。なお、負荷１４はＬＥＤではなく固定抵抗であっても良い。
【００２４】
整流手段２５は、電流の整流作用を有する電子部品のダイオード（ｄｉｏｄｅ）である。
【００２５】
内部リセット回路２８は、整流手段２５に対して並列に設けられ、リセット用整流手段２６と、リセット用スイッチ２７とを有しており、リセット用整流手段２６とリセット用スイッチ２７とが直列に設けられることで形成される。リセット用整流手段２６はダイオードである。
【００２６】
次に、電流方向記憶手段１３の詳細について図３を用いて説明する。電流方向記憶手段１３は、Ｃ字状のフェライトコア５０と、配線１２の一部であってフェライトコア５０に巻回されたコイル部１２ａと、フェライトコア５０の隙間部分に配置された磁界方向感知素子５１から構成される。フェライトコア５０は、磁性材料からなり、配線１２にＤ１方向の電流が流れると端部５０ａがＮ極となって端部５０ｂがＳ極となるように磁化され、配線１２に流れる電流がなくなっても磁化された状態が保持される。また配線１２にＤ２方向の電流が流れると端部５０ａがＳ極となって端部５０ｂがＮ極となるように磁化され、配線１２に流れる電流がなくなっても磁化された状態が保持される。磁界方向感知素子５１は端部５０ａがＮ極となって端部５０ｂがＳ極になったときには、接地回路１３ａと第２回路１３ｃを接続し、端部５０ａがＳ極となって端部５０ｂがＮ極になったときには、接地回路１３ａと第１回路１３ｂを接続する。第１回路１３ｂと第２回路１３ｃのどちらに電流が流れるかを見れば、配線１２にどちらの方向の電流が流れたかを知ることができる。
【００２７】
次に物体動作記憶装置１００の構造（配線）について図１を用いて説明する。起電力発生手段１１の検出用コイル１１ｂは、外部と電気的に接続可能に起電力発生手段１１に収納されている。図１に示すように、配線１２は、一端および他端が、検出用コイル１１ｂの一端および他端に直列接続されている。これにより、起電力発生手段１１を操作することで、検出用コイル１１ｂに誘導起電力が発生し電流が流れると、配線１２にも電流が流れる。また、電流方向記憶手段１３にそれぞれ並列に接続された第１回路１３ｂと第２の回路１３ｃにはそれぞれ負荷１４が直列接続されるとともに電源ＶＣＣが接続されている。また、第１回路１３ｂおよび第２回路１３ｃと導通される側の回路は接地回路１３ａとなっている。整流手段２５は検出用コイル１１ｂと配線１２の間に設けられ、配線１２に第１の方向Ｄ１にのみ電流を流す向きに接続されている。また、内部リセット回路２８は整流手段２５と並列に接続されている。なお、リセット用整流手段２６は第１の方向Ｄ１とは逆向きである第２の方向Ｄ２にのみ電流を流す向きに接続され、リセット用スイッチ２７が未操作時には内部リセット回路２８は非導通状態となっている。
【００２８】
次に物体動作記憶装置１００の動作について図１を用いて説明する。起電力発生手段１１が操作される前の状態においては、接地回路１３ａは第１回路１３ｂと導通しているものとする。また、配線１２に図１に示す第１の方向Ｄ１に電流が流れたときに、接地回路１３ａと第１回路１３ｂとが導通した状態から接地回路１３ａと第２回路１３ｃとが導通した状態に切り換わるように設定されているものとする。起電力発生手段１１の操作部材１１ｄ（図２参照）を操作すると、検出用コイル１１ｂに誘導起電力が発生し電流が第１の方向Ｄ１に向かって流れる。電流は検出用コイル１１ｂに直列接続された制御回路３０を流れるが、第１の方向Ｄ１にのみ電流を流す向きに接続されている整流手段２５が配置された側の回路を流れる。制御回路３０を介して検出用コイル１１ｂに接続された配線１２にも電流が流れる。第１の方向Ｄ１に電流が流れたときに、電流の方向に対応してフェライトコア５０および磁界方向感知素子５１が動作し、接地回路１３ａと第１回路１３ｂとが導通した状態から接地回路１３ａと第２回路１３ｃとが導通した状態へ切り換わり、その状態が保持される。なお、扉ＤＲを閉めて起電力発生手段１１を逆方向に操作しても、第２の方向Ｄ２の電流は整流手段２５によって阻止されて流れない。よって、扉ＤＲの状態を元の状態に戻しても、電流方向記憶手段１３の記憶状態が元に戻ってしまうことがなく、扉ＤＲの開動作があったことを確実に記憶することができる。
【００２９】
以下、遊技機への不正行為防止のために、夜間（営業時間外）における遊技機の扉の開閉の有無を記憶する用途に物体動作記憶装置１００を用いる場合について図１ないし図４を用いて補足する。図４に示すように、物体動作記憶装置１００は遊技機ＤＰの本体に取り付けられ、操作部材１１ｄの操作ツマミ１１ｇは、扉ＤＲを閉じた時に押圧される位置に、遊技機ＤＰの扉ＤＲに向かって突出する様に配置されている。この用途に用いられる場合には、起電力発生手段１１は、図３（ｂ）に示す、操作部材１１ｄが物体ＯＢにより押圧された状態が初期状態となる。すなわち、図ＹＹにおいては、扉ＤＲが閉じられ、扉ＤＲ（物体ＯＢ）により操作部材１１ｄが押圧されている状態が初期状態である。扉ＤＲが開かれ、操作部材１１ｄの押圧が解除された時に、図１に示す第１の方向Ｄ１に電流が流れるように設定しておくことで、夜間（営業時間外）に遊技機ＤＰへの電源供給が無い状態であっても扉ＤＲの開動作の有無を記憶することができる。また、第１回路１３ｂおよび第２回路１３ｃに配置される負荷１４（ＬＥＤ）の発光色は異なる色であり、例えば、第１回路１３ｂに配置される負荷１４の発光色を青色、第２回路１３ｃに配置される負荷１４の発光色を赤色とする。営業時間となり遊技機ＤＰへの電源供給が行なわれると、扉ＤＲの開閉が無かった場合には第１回路１３ｂに配置される負荷１４（青色）が発光し、扉ＤＲの開動作があった場合には第２回路１３ｃに配置される負荷１４（赤色）が発光する。
【００３０】
以下、電流方向記憶手段１３をリセットして接地回路１３ａと第１回路１３ｂとが導通した初期状態に戻す方法について説明する。遊戯機ＤＰの側面等に取り付けられているリセット用スイッチ２７を押し、押したままにする。そして、扉ＤＲが閉まっていれば扉ＤＲをいったん開けてからまた閉め、扉ＤＲが開いていればそのまま閉める。扉を閉めたときに、起電力発生手段１１が逆方向に操作され、リセット用整流手段２６およびリセット用スイッチ２７を介して第２の方向Ｄ２の電流が流れる。第２の方向Ｄ２の電流により接地回路１３ａと第１回路１３ｂとが導通した初期状態に戻る。
【００３１】
以下、本実施形態としたことによる効果について説明する。
【００３２】
物体ＯＢの往復動作に連動して相対的に往復動作可能な検出用磁石１１ａと検出用コイル１１ｂとを有し物体ＯＢの往動作に応じて第１の方向Ｄ１の電流を発生するとともに物体ＯＢの復動作に応じて第１の方向Ｄ１とは逆向きの第２の方向Ｄ２の電流を発生する起電力発生手段１１と、起電力発生手段１１に接続され起電力発生手段１１が発生した電流の方向を検出し記憶する電流方向記憶手段１３とを備え、検出用コイル１１ｂと電流方向記憶手段１３の間に設けられ電流方向記憶手段１３に第１の方向Ｄ１にのみ電流を流すようにした整流手段２５を備える、構成とした。
【００３３】
これにより、起電力発生手段１１が発生した電力で起動するため、バッテリーは不要である。また、電流方向記憶手段１３を用いたので、フェライトコア５０および磁界方向感知素子５１の状態を調べれば物体ＯＢの動作があったことが分かる。また、フェライトコア５０および磁界方向感知素子５１の状態の状態を調べれば物体ＯＢの動作があったことが分かるため、カウント回路やＣＰＵなどが不要であり、簡単な回路構成となる。また、整流手段２５を備えることで、電流方向記憶手段１３には第１の方向Ｄ１に逆行する電流は流れなくなる。すなわち、動作した物体ＯＢが元の状態に戻されて検出用コイル１１ｂに動作した時と逆向きの電流が流れようとしても、電流方向記憶手段１３には第１の方向Ｄ１にしか電流は流れないので、電流方向記憶手段１３の状態が元の状態に戻ることはない。したがって、起電力発生手段１１と電流方向記憶手段１３を用いた物体動作記憶装置１００において、動作した物体ＯＢが元の状態に戻されても物体ＯＢの動作があったことを確実に記憶することができる、という効果を奏する。
【００３４】
また、第１実施形態の物体動作記憶装置１００では、負荷１４をＬＥＤとし、第１回路１３ｂおよび第２回路１３ｃに配置される負荷１４の発光色は異なる色とした。
【００３５】
これにより、物体ＯＢの動作の有無（扉ＤＲの開閉の有無）を目視で簡単に行なえる。また、物体ＯＢの動作があった場合と無かった場合とで発光色が異なるため、発光色が同じだった場合に比べてより識別がしやすい、という効果を奏する。
【００３６】
［第２実施形態］
以下に第２実施形態における物体動作記憶装置２００について図５を用いて説明する。図５は第２実施形態における物体動作記憶装置２００の構成を示す回路図である。
【００３７】
物体動作記憶装置２００は、第１実施形態における物体動作記憶装置１００の内部リセット回路２８を外部リセット回路３８に置き換えた構成である。以下の説明においては、第１実施形態における物体動作記憶装置１００および第２実施形態における物体動作記憶装置２００と同じ構成部品については、同じ名称と同じ符号を用いるとともに、詳細な説明は省略する。
【００３８】
物体動作記憶装置２００は、図５に示すように、起電力発生手段１１と、配線１２と、電流方向記憶手段１３と、負荷１４と、整流手段２５と、外部リセット回路３８とが配線されている。なお、起電力発生手段１１、配線１２、電流方向記憶手段１３、負荷１４および整流手段２５は第１実施形態における物体動作記憶装置１００と同じ構成部品であるため、詳細な説明は省略する。
【００３９】
外部リセット回路３８は、ダイオードである外部整流手段３６と、外部整流手段３６に電流を流すことができるとともに、外部整流手段３６に流す電流を制御できるリセット制御部ＣＵとを有する。外部整流手段３６とリセット制御部ＣＵとは直列に接続されている。なお、リセット制御部ＣＵから流れる電流は、配線１２を第２の方向Ｄ２に流れたときに、電流方向記憶手段１３のフェライトコア５０の磁化方向を変化させることが可能な大きさである。また、本実施形態においてはリセット制御部ＣＵを外部リセット回路３８の構成部品としているが、物体動作記憶装置２００が取り付けられる遊技機などの構成部品であっても良い。
【００４０】
次に物体動作記憶装置２００の構造（配線）について図５を用いて説明する。物体動作記憶装置２００は、図１に示す第１実施形態の物体動作記憶装置１００と同様に検出用コイル１１ｂと配線１２の間に整流手段２５が設けられている。なお、起電力発生手段１１を初期状態から操作すると、誘導起電力により配線１２には第１の方向Ｄ１に向かって電流が流れるものとし、整流手段２５は第１の方向Ｄ１に向かう電流のみ流す向きに配置されている。外部リセット回路３８は、配線１２に並列に接続されている。すなわち、直列に接続された起電力発生手段１１と整流手段２５とに並列となるように配線１２の両端に接続されている。なお、外部整流手段３６は、配線１２に第１の方向Ｄ１とは逆向きである第２の方向Ｄ２に向かって電流を流すことのできる向きに配置されている。
【００４１】
次に物体動作記憶装置２００の動作について図５を用いて説明する。起電力発生手段１１が操作される前の状態においては、接地回路１３ａと第１回路１３ｂとが導通しているものとする。また、配線１２に図１に示す第１の方向Ｄ１に電流が流れたときに、接地回路１３ａと第１回路１３ｂとが接続された状態から接地回路１３ａと第２回路１３ｃとが接続された状態に切り換わるように設定されているものとする。起電力発生手段１１の操作部材１１ｄ（図２参照）を操作すると、検出用コイル１１ｂに誘導起電力が発生し、整流手段２５は第１の方向Ｄ１に向かって流れる電流を流すため、電流が配線１２を第１の方向Ｄ１に向かって流れる。第１の方向Ｄ１に電流が流れたときに配線１２に流れた電流の方向に対応して、接地回路１３ａと第１回路１３ｂとが導通した状態から接地回路１３ａと第２回路１３ｃとが導通した状態へ切り換わって保持される。
【００４２】
物体動作記憶装置２００は、外部リセット回路３８（リセット制御部ＣＵ）から配線１２に電流を流すことができる。また、外部リセット回路３８の外部整流手段３６は第２の方向Ｄ２に向かう電流のみ流す。すなわち、リセット制御部ＣＵは配線１２に第２の方向Ｄ２に向かう電流のみ流すことができる。なお、リセット制御部ＣＵから流れる電流は、配線１２を第２の方向Ｄ２に流れたときに、電流方向記憶手段１３のフェライトコア５０の磁化方向を変化させることが可能な大きさである。そのため、リセット制御部ＣＵから配線１２に第２の方向Ｄ２に向かう電流を流すことで、電流方向記憶手段１３をリセットする（初期状態に戻す）ことができる。
【００４３】
以下、本実施形態としたことによる効果について説明する。
【００４４】
本実施形態の物体動作記憶装置２００では、配線１２に並列に接続され、配線１２に第１の方向Ｄ１とは逆向きである第２の方向Ｄ２に電流を流すことのできる一対の配線からなる外部リセット回路３８を備えた、構成とした。
【００４５】
これにより、外部リセット回路３８を介して配線１２に逆方向（第２の方向Ｄ２）の電流を流すことで、配線１２にフェライトコア５０の磁化方向を初期状態に戻す方向の電流が流れ、電流方向記憶手段１３のリセットを行なうことができる。すなわち電流方向記憶手段１３の状態を、物体ＯＢが動作する前の状態に戻すことができる、という効果を奏する。
【００４６】
以上のように、本発明の実施形態に係る物体動作記憶装置を具体的に説明したが、本発明は上記の実施形態に限定されるものではなく、要旨を逸脱しない範囲で種々変更して実施することが可能である。例えば次のように変形して実施することができ、これらの実施形態も本発明の技術的範囲に属する。
【００４７】
（１）第１実施形態ないし第２実施形態において、物体動作記憶装置１００ないし物体動作記憶装置２００の使用用途を遊技機の扉の開閉有無の記憶としたが、遊技機以外の用途に用いても良い。例えば、医薬品保管庫の扉の開閉有無の記憶等の用途でもよい。また、何かしらの扉の開閉有無の記憶に限定するものでもない。
【００４８】
（２）第２実施形態において、リセット制御部ＣＵは遊技機ＤＰに供給された電力を用いて配線１２に電流を第２の方向Ｄ２に流す構成としたが、起電力発生手段１１と同様の構造の起電力発生手段を用いる構成であっても良い。
【００４９】
（３）第２実施形態において、実使用例にて、第２リセット用スイッチ４４は遊技機ＤＰの外方から操作できる位置に露出して設けられている構造としたが、扉ＤＲの内側（遊技機ＤＰの内部）に第２リセット用スイッチ４４を設ける構造でも良い。
【符号の説明】
【００５０】
１１    起電力発生手段
１１ａ  検出用磁石
１１ｂ  検出用コイル
１１ｃ  付勢部材
１１ｄ  操作部材
１１ｅ  ケース
１１ｆ  本体部
１１ｇ  操作ツマミ
１２    配線
１２ａ  コイル部
１３    電流方向記憶手段
１３ａ  接地回路
１３ｂ  第１回路
１３ｃ  第２回路
１４    負荷
２５    整流手段
２６    リセット用整流手段
２７    リセット用スイッチ
２８    内部リセット回路
３０    制御回路
３６    外部整流手段
３８    外部リセット回路
５０    フェライトコア
５０ａ  端部
５０ｂ  端部
５１    磁界方向検知素子
１００  物体動作記憶装置
２００  物体動作記憶装置
ＣＵ    リセット制御部
Ｄ１    第１の方向
Ｄ２    第２の方向
ＤＰ    遊技機
ＤＲ    扉
ＯＢ    物体
Ｄ２    第２方向
Ｄ２    第２の方向
ＤＰ    遊戯機
ＤＰ    遊技機
ＤＲ    扉
ＯＢ    物体
ＶＣＣ  電源
【図１】
2015122258.tif 000003
【図２】
2015122258.tif 000004
【図３】
2015122258.tif 000005
【図４】
2015122258.tif 000006
【図５】
2015122258.tif 000007
【図６】
2015122258.tif 000008
【図７】
2015122258.tif 000009